(57)【要約】【課題】  表示画面を、所望の画面に簡易に戻すことができる表示装置を提供する。【解決手段】  表示装置ＣＶにおいて、履歴記憶部５６には、表示部５２に表示中のＷｅｂコンテンツより前に表示したＷｅｂコンテンツの履歴情報を格納し、制御部５０は、表示中のＷｅｂコンテンツから前の画面に戻る操作をされた場合、履歴記憶部５６に格納しているＷｅｂコンテンツの履歴情報から、各履歴情報に設定された識別子に基づいて画面遷移を許可されたＷｅｂコンテンツを判別し、当該画面遷移を許可されたＷｅｂコンテンツのうちいずれかのＷｅｂコンテンツを表示部５２に表示し、画面遷移を許可されたＷｅｂコンテンツがない場合は、予め設定された所定のＷｅｂコンテンツを表示部５２に表示する。【選択図】図１
2010097497.tif 000002
【特許請求の範囲】
【請求項１】
住宅設備の監視と制御とのうち少なくともいずれか一方を行う住宅設備監視制御手段と、住宅設備監視制御手段の動作に関するＷｅｂコンテンツを作成するＷｅｂサーバ手段とを備えた住宅設備監視制御システムに用いられ、
Ｗｅｂサーバ手段との間でデータ通信を行う通信手段と、表示部と、Ｗｅｂサーバ手段が作成するＷｅｂコンテンツのＵＲＬに通信手段を介してアクセスして受け取ったＷｅｂコンテンツを表示部で表示させる表示制御手段と、表示部に表示した各Ｗｅｂコンテンツの履歴情報を格納する履歴記憶部とを備え、履歴記憶部に格納した各Ｗｅｂコンテンツの履歴情報には、当該Ｗｅｂコンテンツへの画面遷移の可否を示す識別子が設定されており、
表示制御手段は、表示部に表示中のＷｅｂコンテンツから前の画面に戻る操作をされた場合、表示中のＷｅｂコンテンツより前に表示したＷｅｂコンテンツの履歴情報から、各履歴情報に設定された識別子に基づいて画面遷移を許可されたＷｅｂコンテンツを判別し、当該画面遷移を許可されたＷｅｂコンテンツのうちいずれかのＷｅｂコンテンツを表示部に表示し、画面遷移を許可されたＷｅｂコンテンツがない場合は、予め設定された所定のＷｅｂコンテンツを表示部に表示する
ことを特徴とする表示装置。
【請求項２】
前記表示制御手段は、前記表示部に表示中のＷｅｂコンテンツから前の画面に戻る操作をされた場合、前記識別子に基づいて画面遷移を許可されていると判別されたＷｅｂコンテンツのうち履歴が最新であるＷｅｂコンテンツを表示部に表示することを特徴とする請求項１記載の表示装置。
【請求項３】
前記履歴記憶部に格納した各Ｗｅｂコンテンツの履歴情報に有効期限情報を設定する有効期限設定手段と、時間を計時する計時手段とを備え、
前記表示制御手段は、前記表示部に表示中のＷｅｂコンテンツから前の画面に戻る操作をされた場合、前記識別子に基づいて画面遷移を許可されていると判別されるとともに計時手段の計時結果が有効期限内であるＷｅｂコンテンツのうちいずれかのＷｅｂコンテンツを表示部に表示することを特徴とする請求項１または２記載の表示装置。
【請求項４】
前記有効期限設定手段は、前記履歴記憶部に格納した各Ｗｅｂコンテンツの履歴情報のうち、少なくとも識別子に基づいて画面遷移を許可されていると判別されたＷｅｂコンテンツの履歴情報毎に、有効期限情報を個別に設定することを特徴とする請求項３記載の表示装置。
【請求項５】
前記表示制御手段は、前記表示部に表示中のＷｅｂコンテンツから前の画面に戻る操作をされた場合、前記識別子に基づいて画面遷移を許可されていると判別されたＷｅｂコンテンツのうち任意のＷｅｂコンテンツを選択可能な遷移先選択用画面を表示部に表示し、遷移先選択用画面にて選択されたＷｅｂコンテンツを表示部に表示することを特徴とする請求項１記載の表示装置。
【請求項６】
前記表示制御手段は、前記識別子に基づいて画面遷移を許可されていると判別されるとともに表示部に表示された後の経過時間が所定時間内であるＷｅｂコンテンツのうち、任意のＷｅｂコンテンツを選択可能な遷移先選択用画面を表示部に表示することを特徴とする請求項５記載の表示装置。
【請求項７】
前記遷移先選択用画面は、選択可能な各Ｗｅｂコンテンツを、表示部を分割した各領域に配置して表示することを特徴とする請求項５または６記載の表示装置。
【発明の詳細な説明】
【技術分野】
【０００１】
本発明は、表示装置に関するものである。
【背景技術】
【０００２】
従来より、エアコンや照明器具や種々のセキュリティ機器などの住宅設備の監視（或いは、監視と制御）を行う住宅設備監視システムが提供されている（例えば、特許文献１参照）。そして、かかる住宅設備監視システムは、住宅設備の監視（或いは、監視と制御）に関わる情報（例えば、エアコンや照明器具の動作状態、セキュリティ機器である火災感知器の動作状態など）を表示部（ＣＲＴやＬＣＤ）に表示することで前記情報を認識し易くするものとして表示装置を備えている。
【０００３】
この表示装置は、住宅設備の監視と制御の内の少なくとも何れか一方を行うコントローラを含むローカル機器や、情報を統括するセンタ装置にネットワークを介して接続しており、ローカル機器、センタ装置に搭載されたＷｅｂサーバが作成するＷｅｂコンテンツのＵＲＬ（Uniform Resource Locator）にアクセスして取得したＷｅｂコンテンツを表示部に表示させるＷｅｂブラウザを備えている。
【０００４】
そして、Ｗｅｂブラウザは、メニュー等の操作画面を表示部に表示している状態で、ローカル機器やセンタ装置からイベント通知（例えば、来客通知等）を受け取ると、当該イベントに関連する画面（Ｗｅｂコンテンツ）を表示部に割り込み表示させる機能を備えている。
【特許文献１】特開２００８−９７３８１号公報
【発明の開示】
【発明が解決しようとする課題】
【０００５】
上記従来の表示装置では、イベント通知を受け取って、当該イベントに関連する画面を表示部に割り込み表示した後、割り込み前の元の操作画面に戻りたいという要望が強い。そこで、ヒストリーバックを用いて画面を戻す方法が考えられるが、ネットワークでのコネクション接続時間に制限を設けて、操作が一定時間なければ、ヒストリーバックによる戻る操作ができないようにコネクション接続を切断する機能を設けている場合、図１５に示すように、画面Ｇ１０１内の戻るボタンＢ１０１を押下して戻る操作を行っても「指定されたページは見つかりません（Ｎｏｔ  Ｆｏｕｎｄ）」というメッセージ画面Ｇ１０２を表示することがあり、ユーザにとっては、所望の画面に戻ることができずに使い勝手が悪いものとなっていた。
【０００６】
また、キャッシュを利用してヒストリーバックさせた場合、時間の経過にともなって状態が変化する画面については不具合が生じる。例えば、ＩＰ設定画面を表示しているときに来客通知画面に遷移し、さらに来客通話中画面に遷移した場合、通話後、ユーザは元のＩＰ設定画面に戻りたい。しかし、図１５に示すように、通常のヒストリーバック操作（戻るボタンの操作）では、来客通話中画面Ｇ１０１から直前の来客通知画面Ｇ１０３に遷移することになり、ユーザにとっては、所望の画面に戻ることができずに使い勝手が悪いものとなっていた。また、ヒストリーバック操作が不可の場合（メタタグにて、キャッシュの無効や、キャッシュの時間制限を設定する等）にも、現在表示中の画面において最新の画像を取得するか否かの判断しかできず、所望の画面に戻ることはできなかった。
【０００７】
本発明は、上記事由に鑑みてなされたものであり、その目的は、表示画面を、所望の画面に簡易に戻すことができる表示装置を提供することにある。
【課題を解決するための手段】
【０００８】
請求項１の発明は、住宅設備の監視と制御とのうち少なくともいずれか一方を行う住宅設備監視制御手段と、住宅設備監視制御手段の動作に関するＷｅｂコンテンツを作成するＷｅｂサーバ手段とを備えた住宅設備監視制御システムに用いられ、Ｗｅｂサーバ手段との間でデータ通信を行う通信手段と、表示部と、Ｗｅｂサーバ手段が作成するＷｅｂコンテンツのＵＲＬに通信手段を介してアクセスして受け取ったＷｅｂコンテンツを表示部で表示させる表示制御手段と、表示部に表示した各Ｗｅｂコンテンツの履歴情報を格納する履歴記憶部とを備え、履歴記憶部に格納した各Ｗｅｂコンテンツの履歴情報には、当該Ｗｅｂコンテンツへの画面遷移の可否を示す識別子が設定されており、表示制御手段は、表示部に表示中のＷｅｂコンテンツから前の画面に戻る操作をされた場合、表示中のＷｅｂコンテンツより前に表示したＷｅｂコンテンツの履歴情報から、各履歴情報に設定された識別子に基づいて画面遷移を許可されたＷｅｂコンテンツを判別し、当該画面遷移を許可されたＷｅｂコンテンツのうちいずれかのＷｅｂコンテンツを表示部に表示し、画面遷移を許可されたＷｅｂコンテンツがない場合は、予め設定された所定のＷｅｂコンテンツを表示部に表示することを特徴とする。
【０００９】
この発明によれば、戻る操作によって、見る必要のない画面に戻ることはないので、簡易な処理フローで所望の画面に戻ることができ、ユーザにとって違和感のない操作となって使い勝手がよいものとなる。
【００１０】
請求項２の発明は、請求項１において、前記表示制御手段は、前記表示部に表示中のＷｅｂコンテンツから前の画面に戻る操作をされた場合、前記識別子に基づいて画面遷移を許可されていると判別されたＷｅｂコンテンツのうち履歴が最新であるＷｅｂコンテンツを表示部に表示することを特徴とする。
【００１１】
この発明によれば、戻る操作時に、できるだけ現在表示している画面に近い画面に画面遷移させることができるので、使い勝手がさらに向上する。
【００１２】
請求項３の発明は、請求項１または２において、前記履歴記憶部に格納した各Ｗｅｂコンテンツの履歴情報に有効期限情報を設定する有効期限設定手段と、時間を計時する計時手段とを備え、前記表示制御手段は、前記表示部に表示中のＷｅｂコンテンツから前の画面に戻る操作をされた場合、前記識別子に基づいて画面遷移を許可されていると判別されるとともに計時手段の計時結果が有効期限内であるＷｅｂコンテンツのうちいずれかのＷｅｂコンテンツを表示部に表示することを特徴とする。
【００１３】
この発明によれば、表示してから長い時間が経過したＷｅｂコンテンツの履歴情報は無効として、戻る操作時には表示しないので、ユーザに混乱を招くことがない。
【００１４】
請求項４の発明は、請求項３において、前記有効期限設定手段は、前記履歴記憶部に格納した各Ｗｅｂコンテンツの履歴情報のうち、少なくとも識別子に基づいて画面遷移を許可されていると判別されたＷｅｂコンテンツの履歴情報毎に、有効期限情報を個別に設定することを特徴とする。
【００１５】
この発明によれば、例えば、操作するアイコンの数が多い画面では、操作時間がかかっている場合が考えられるので、そのような画面では有効期限を長く設定できる。
【００１６】
請求項５の発明は、請求項１において、前記表示制御手段は、前記表示部に表示中のＷｅｂコンテンツから前の画面に戻る操作をされた場合、前記識別子に基づいて画面遷移を許可されていると判別されたＷｅｂコンテンツのうち任意のＷｅｂコンテンツを選択可能な遷移先選択用画面を表示部に表示し、遷移先選択用画面にて選択されたＷｅｂコンテンツを表示部に表示することを特徴とする。
【００１７】
この発明によれば、戻り操作時の画面遷移先の候補から、ユーザが遷移先を選択できるので、ユーザビリティが向上する。
【００１８】
請求項６の発明は、請求項５において、前記表示制御手段は、前記識別子に基づいて画面遷移を許可されていると判別されるとともに表示部に表示された後の経過時間が所定時間内であるＷｅｂコンテンツのうち、任意のＷｅｂコンテンツを選択可能な遷移先選択用画面を表示部に表示することを特徴とする。
【００１９】
この発明によれば、ユーザが操作するために戻りたいであろう最近の画面のみを候補として表示するので、無駄な候補を表示することなく使い勝手が向上する。
【００２０】
請求項７の発明は、請求項５または６において、前記遷移先選択用画面は、選択可能な各Ｗｅｂコンテンツを、表示部を分割した各領域に配置して表示することを特徴とする。
【００２１】
この発明によれば、戻り操作時の画面遷移先の候補として、実際のＷｅｂコンテンツの画面を１つの画面に分割して表示するので、ユーザにとって判り易くなり、ユーザビリティがより向上する。
【発明の効果】
【００２２】
以上説明したように、本発明では、表示画面を、所望の画面に簡易に戻すことができるという効果がある。
【発明を実施するための最良の形態】
【００２３】
以下、本発明の実施の形態を図面に基づいて説明する。
【００２４】
（実施形態１）
本実施形態の表示装置を用いる住宅設備監視制御システムは、図３に示すように住宅内に設置されたコントローラＣ１，Ｃ１’，Ｃ２，Ｃ３が住宅設備の制御並びに監視を行う複数（図示例では３つ）のサブシステムＳＳ１，ＳＳ２，ＳＳ３と、各サブシステムＳＳｎのコントローラＣｎ（ｎ＝１，２，３）と伝送路（エンハンスト・カテゴリ５若しくはカテゴリ６のＬＡＮケーブル）を介して接続される統合管理装置ＴＭと、統合管理装置ＴＭにＬＡＮケーブルを介して接続される複数（図示例では、２つ）の端末装置（パーソナルコンピュータＰＣ並びに表示装置ＣＶ）とを備え、これら複数のコントローラＣと統合管理装置ＴＭと端末装置とが汎用の通信プロトコル（ＴＣＰ／ＩＰ、ＵＤＰ、ＨＴＴＰなど）を利用した宅内ネットワークを構成している。この宅内ネットワークは、100BASE-TX（IEEE 802.3u）規格に準拠したローカルエリアネットワーク（ＬＡＮ）であって、ハブに相当する統合管理装置ＴＭに、ネットワーク端末に相当する各サブシステムＳＳｎのコントローラＣｎや端末装置（パーソナルコンピュータＰＣ並びに表示装置ＣＶ）などがスター配線で接続されている。更に統合管理装置ＴＭは、インターネットに接続するための回線の種類（電話回線、ＣＡＴＶ回線、光ファイバ回線など）に応じてＡＤＳＬモデムやケーブルモデム或いはＯＮＵ（Optical Network Unit）などのインターネット接続装置ＭＤと通信ケーブル（通常、ＬＡＮケーブル）によって接続され、インターネット接続装置ＭＤが介在することで宅内ネットワークが外部ネットワークたるインターネットに接続される。尚、この種のインターネット接続装置ＭＤは従来周知であるから詳細な構成についての図示並びに説明は省略する。
【００２５】
また、宅内ネットワークにはサービス提供会社の管理センター等に設置されたセンタ装置（センタサーバ）ＳＶがインターネットを通じて接続されており、後述するようにインターネットに接続可能なノート型のパーソナルコンピュータ、携帯電話機ＭＰ、ＰＤＡ（Personal Digital Assistance）等からなる携帯型の端末装置とセンタ装置ＳＶとの間でインターネットを介したデータ通信を行うことにより、例えば、携帯電話機ＭＰを使って外出先から住宅設備の制御や監視を行うことができる。センタ装置ＳＶは、ネットワーク機能を有する汎用のコンピュータ装置で構成されており、携帯電話機ＭＰ等の端末装置からインターネットを通じて送信されるコントローラＣｎ宛のメッセージやコントローラＣｎから宅内ネットワークに属さない端末装置宛に送信されるメッセージを中継する機能や各住戸からの情報統括を行う機能、更に天気情報、交通情報等の情報提供のためのＷｅｂサーバ機能有している。但し、上述のようなインターネット接続機能を有する携帯型の端末装置やセンタ装置ＳＶのハードウェア構成は従来周知であるから、詳細な構成についての図示並びに説明は省略する。
【００２６】
さて本発明の実施形態である表示装置ＣＶは住宅内の壁面に埋込配設されるものであって、図１に示すようにマイコンを主構成要素とするマイコンからなる制御部５０と、宅内ネットワークのＬＡＮケーブルが接続され制御部５０と宅内ネットワークのインタフェースを行うＬＡＮ用の通信手段たる通信部５１と、液晶ディスプレイやドライブ回路からなる表示部５２と、押釦スイッチや表示部５２の画面上に配設されるタッチパネルを有し、ユーザーの操作入力の情報を取り込む操作部５３と、マイコンで実行するプログラムや種々のデータを記憶するフラッシュメモリなどからなる不揮発性のデータ記憶部５４と、スピーカおよびマイクロホンを具備する通話部５５と、表示部５２に表示された後述の各Ｗｅｂコンテンツの履歴情報を格納する履歴記憶部５６とを備えている。
【００２７】
また、図示は省略しているが、商用電源から所望の直流電源を作成して制御部５０やその他の各部に動作電源を供給するための電源回路も備えている。
【００２８】
制御部５０にはＷｅｂブラウザが実装され、各コントローラＣｎ等から提供されるＷｅｂコンテンツ並びに予めデータ記憶部５４に記憶しているＷｅｂコンテンツ（以下、内蔵Ｗｅｂコンテンツと呼ぶ。）をＷｅｂブラウザで再生して表示部５２に表示しており、表示制御手段を構成している。さらには、操作部５３のタッチパネルが操作された位置と表示部５２に表示されているアイコン等との位置関係に応じた操作入力情報を取り込む機能も有する。
【００２９】
また、データ記憶部５４には予め警報音や音声メッセージのデータが圧縮して格納されており、制御部５０が必要に応じてデータ記憶部５４から読み出したデータを伸長して通話部５５に出力すれば、前記警報音や音声メッセージがスピーカから鳴動される。
【００３０】
また、通話部５５は、後述のドアホン子器ＤＳの呼出釦が押操作されると、常時有効である呼出機能によってスピーカから呼出音が鳴動されるとともに、ドアホン子器ＤＳの画像伝送機能が有効になり、ドアホン子器ＤＳのカメラで撮像された画像が表示部５２に表示される。その後、通話機能によりドアホン子器ＤＳとの間に通話線を介した通話路が形成されると、表示装置ＣＶとドアホン子器ＤＳとの間においてスピーカとマイクロホンを使った拡声通話（ハンズフリー通話）が可能になるとともに、通話中においても表示部５２にドアホン子器ＤＳから伝送される画像を表示させることが可能になる。
【００３１】
さらに、表示装置ＣＶは、図２に示すように矩形箱形の合成樹脂成形品からなるハウジング５ａの内部に上述した各部５０〜５６が収納されて構成されており、表示部５２の画面がハウジング５ａ前面の左寄りに配置されている。尚、表示部５２の画面には操作部５３が有するタッチパネル（透明であるから番号は付さない）が一体に設けられている。ハウジング５ａ前面の左端には、通話部５５のスピーカやマイクロホンに対向した多数の音孔５ｂが設けられている。また、ハウジング５ａ前面の右端には、操作部５３が具備する複数の押釦スイッチ（図示せず）を押操作するための操作釦５３ａ，５３ｂ，５３ｃ，５３ｄが縦１列に並べて配設されている。更に、図示は省略するが、ハウジング５ａには、電源入／切や制御部５０をリセットするための押釦スイッチが配設されており、ハウジング５ａの背面には通信部５１が有するモジュラジャックの差込口と、商用電源からの電源線が接続される端子部の電線挿入孔とが露出している。
【００３２】
一方システムでのネットワーク通信を統合管理する統合管理装置ＴＭは、ＬＡＮケーブルを介して、設備機器コントローラＣ１，Ｃ１’，Ｃ２，Ｃ３、パーソナルコンピュータＰＣ、表示装置ＣＶ等が接続されるとともに、インターネット接続装置ＭＤからインターネットを通じてセンタ装置ＳＶや携帯電話機ＭＰ、又は他のネット端末に接続しており、パケット処理機能、経路切換機能、ネットワークセキュリティ機能、ＵＰｎＰ（ユニバーサル・プラグ・アンド・プレイ）のコントロールポイントの機能等を有して、ネットワークにおけるデータ授受をコントロールしている。
【００３３】
サブシステムＳＳ１は、照明器具や空調機器（エアコン）並びに電気錠等の住宅設備（設備機器）Ｘｍ（ｍ＝１，２，…）と、設備機器Ｘｍの制御並びに監視を行うコントローラ（以下、設備機器コントローラと呼ぶ。）Ｃ１とを備えるとともに、住宅における使用電力量を計測し、該計測に基づいて所定の設備機器Ｘｍの制御を行う電力計測装置Ｄの監視を行う設備機器コントローラＣ１’を備えている。
【００３４】
設備機器コントローラＣ１は、図４に示すようにマイコンを主構成要素とする制御部１０と、宅内ネットワークのＬＡＮケーブルが接続され制御部１０と宅内ネットワークのインタフェースを行うＬＡＮ用の通信部１１と、日本電機工業会（JEMA）の統一規格に適合した設備機器Ｘ１（エアコンや給湯器など）と制御部１０のインタフェースを行うＨＡ（ホームオートメーション）用の機器インタフェース部（機器Ｉ／Ｆ部）１２と、マイコンで実行するプログラムや設備機器Ｘ１，Ｘ２の動作状態などの制御情報及び監視情報を記憶する記憶部１３とを備えている。また、図示は省略しているが、商用電源から所望の直流電源を作成して制御部１０やその他の各部に動作電源を供給するための電源回路、更に時刻計時を行う時計部をも備えている。
【００３５】
制御部１０は、通信部１１を通じて端末装置から制御要求のメッセージを受け取ったときに機器Ｉ／Ｆ部１２を介して各設備機器Ｘ１，Ｘ２を個別に制御して運転（照明器具Ｘ２の場合は点灯）と停止（照明器具Ｘ２の場合は消灯）を切り換え、通信部１１を通じて端末装置から監視要求のメッセージを受け取ったときに機器Ｉ／Ｆ部１２を介して各設備機器Ｘ１，Ｘ２の動作状態（運転＜点灯＞又は停止＜消灯＞）を個別に取得するとともに、制御要求や監視要求に対する応答（各設備機器Ｘ１，Ｘ２の動作状態）のメッセージを通信部１１より要求メッセージの送信元である端末装置に向けて送信させる機能（制御監視機能）を有する。
【００３６】
また、制御部１０は、自己の配下にある設備機器Ｘ１、Ｘ２の名称並びに動作状態を文字や記号で表示するための多数のＷｅｂコンテンツ（Ｗｅｂページ）を保持しており、端末装置からＷｅｂコンテンツのＵＲＬに対するアクセスに応じてＷｅｂコンテンツ群の中から対応するＷｅｂコンテンツのデータを通信部１１より端末装置に提供（配信）するＷｅｂサーバ機能を有している。
【００３７】
設備機器コントローラＣ１’は、設備機器コントローラＣ１と基本的に同じ構成を有するので図示は省略するが、設備機器コントローラＣ１’では機器インタフェース部１２が電力計測装置Ｄと制御部１０とのインタフェースを行うようになっている。また制御部１０は電力計測装置Ｄが計測する設備機器Ｘｍ毎の電力使用量の履歴情報を記憶部１３で記憶させ、自己の配下にある設備機器Ｘ３、Ｘ４の名称並びに動作状態を文字や記号で表示するための多数のＷｅｂコンテンツ（Ｗｅｂページ）や、電力消費量の履歴情報に基づいて各月の機器毎の電力消費量の推移をグラフで表示するためのＷｅｂコンテンツを保持しており、端末装置からＷｅｂコンテンツのＵＲＬに対するアクセスに応じてＷｅｂコンテンツ群の中から対応するＷｅｂコンテンツのデータを通信部１１より端末装置に提供（配信）するＷｅｂサーバ機能を有している。
【００３８】
電力計測装置Ｄは、住宅盤に収納されている例えば各分岐ブレーカ（図示せず）からの分岐電力路に挿入されて分岐電力路に流れる電流を検出する電流センサ（カレントトランス）ＣＴ、電流センサＣＴで検出する電流と既知の電源電圧とに基づいてから分岐電力路に接続された設備機器Ｘｍ毎の使用電力を計測する機能、設備機器コントローラＣ１’の機器インタフェース部１２を介して制御部１０との間でデータ通信を行うためのインタフェース機能、更に日本電機工業会の統一規格に適合した設備機器Ｘ３，Ｘ４（エアコンや給湯器など）を接続するための機能と、計測する使用電力量の計測値が予め決められている上限値を超えた場合、設備機器コントローラＣ１’の制御部１０に機器停止（電源オフ）指令を送信するか、或いは設備機器Ｘ３又はＸ４の電源をオフさせて電力の使い過ぎを防止する機能（デマンド制御機能）と、設備機器コントローラＣ１’の制御部１０から与えられる指令に応じて設備機器Ｘ３，Ｘ４の動作制御や状態監視を行う機能、更に計測する電力消費量の情報を設備機器コントローラＣ１’に与える機能を有している。尚電力量の計測対象として住戸全体の電力量を計測しても勿論良い。
【００３９】
また、サブシステムＳＳ２は、図３に示すように住宅内における異常発生を検知する１乃至複数種類のセキュリティ機器Ｙ１，Ｙ２と、各セキュリティ機器Ｙ１，Ｙ２の検知情報を収集するセキュリティ受信器ＳＲと、セキュリティ受信器ＳＲが収集した検知情報を受け取るとともに受け取った当該検知情報を応答メッセージにより宅内ネットワークを通じて伝送するコントローラ（以下、セキュリティコントローラと呼ぶ。）Ｃ２とで構成されるセキュリティシステムである。
【００４０】
セキュリティ機器Ｙ１は、例えば、人体から放射される熱線を検出することによる監視領域内への人の侵入検知や、窓に設置されているクレセント錠の施解錠検知、窓の開閉検知等を行う防犯用のセンサを具備し、センサで異常（人の侵入やクレセント錠の解錠等）を検知したときに当該検知情報を無線信号（若しくは有線信号）でセキュリティ受信器ＳＲに送信する機能を有している。また、セキュリティ機器Ｙ２は、煙や熱を検出することによる火災検知や都市ガス或いはＬＰガスを検出することによるガス漏れ検知等を行う防災用のセンサを具備し、センサで異常（火災発生やガス漏れ等）を検知したときに当該検知情報を無線信号（若しくは有線信号）でセキュリティ受信器ＳＲに送信する機能を有している。但し、上述のような機能を有するセキュリティ機器Ｙ１，Ｙ２については従来周知であるから、詳細な構成についての図示並びに説明は省略する。
【００４１】
セキュリティ受信器ＳＲは、セキュリティ機器Ｙ１，Ｙ２から送信された無線信号（若しくは有線信号）を受信することで検知情報を収集し、更に当該検知情報に対応した処理、例えば、火災やガス漏れ不審者の侵入等の異常発生を家人に知らせるために警報音を鳴動する処理を行うとともに検知された異常の種類や場所等の検知情報を無線信号（若しくは有線信号）でセキュリティコントローラＣ２に送信する処理を行う。
【００４２】
ここで、セキュリティ機器Ｙ１，Ｙ２には固有の識別符号（ＩＤ）が割り当てられており、セキュリティ受信器ＳＲでは当該識別符号によって個々のセキュリティ機器Ｙ１，Ｙ２の検知情報を識別可能となっている。また、セキュリティ受信器ＳＲは、上述のようにセキュリティ機器Ｙ１，Ｙ２から検知情報を収集する警戒状態と検知情報を収集しない非警戒状態の２つの動作状態があり、例えば、ワイヤレス送信機（図示せず）から送信されるワイヤレス信号によって警戒状態と非警戒状態の２つの動作状態が択一的に切り換えられる。但し、ワイヤレス送信機にも固有の識別符号が割り当てられており、予め登録されている識別符号以外の識別符号が割り当てられたワイヤレス送信機では動作状態の切換が行えないようになっている。尚、上述のような機能を有するセキュリティ受信器ＳＲについては従来周知であるから、詳細な構成についての図示並びに説明は省略する。
【００４３】
セキュリティコントローラＣ２は、図５に示すようにマイコンを主構成要素とする制御部３０と、宅内ネットワークのＬＡＮケーブルが接続され制御部３０と宅内ネットワークのインタフェースを行うＬＡＮ用の通信部３１と、セキュリティ受信器ＳＲとの間で無線（若しくは有線）によるデータ通信を行う通信部３２とを備えるとともに、ＬＥＤ等の発光素子で電源のオン／オフ状態や通信状態等を表示する表示手段と、押釦スイッチ等を有する表示／操作部３４と、マイコンで実行するプログラムやセキュリティ機器Ｙ１，Ｙ２から収集した検知情報を記憶する記憶部３３とを備えている。また、図示は省略しているが、商用電源から所望の直流電源を作成して制御部３０やその他の各部に動作電源を供給するための電源回路も備えている。
【００４４】
制御部３０は、セキュリティ受信器ＳＲから通信部３２を介して受け取った検知情報を応答メッセージとして宅内ネットワーク（或いは宅内ネットワークと外部ネットワーク）を通じて端末装置に送信する機能（警報機能）や、端末装置から制御要求のメッセージを受け取ったときに通信部３２を介してセキュリティ受信器ＳＲにコマンド（切換指令）を送信してセキュリティ受信器ＳＲの動作状態（警戒状態又は非警戒状態）を切り換えたり、或いはセキュリティ受信器ＳＲによる警報音の鳴動を停止させたり、端末装置から監視要求のメッセージを受け取ったときに通信部３２を介してセキュリティ受信器ＳＲにコマンドを送信してセキュリティ受信器ＳＲの動作状態（警戒状態又は非警戒状態）を通知させるとともに、制御要求や監視要求に対する応答（セキュリティ受信器ＳＲの動作状態や警報音の鳴動状況等）のメッセージを通信部３１より要求メッセージの送信元である端末装置に向けて送信させる機能（制御監視機能）を有する。また、制御部３０は、自己の配下にあるセキュリティ受信器ＳＲの動作状態等を文字や記号で表示するための多数のＷｅｂコンテンツ（Ｗｅｂページ群）を保持しており、端末装置からＷｅｂコンテンツのＵＲＬに対するアクセスに応じてＷｅｂコンテンツ群の中から対応するＷｅｂコンテンツのデータを通信部３１より端末装置に提供（配信）するＷｅｂサーバ機能を有している。
【００４５】
サブシステムＳＳ３は、図３に示すように住戸外に設置されるカメラ付きドアホン子器（以下、ドアホン子器と略す。）ＤＳと、人体から放射される熱線を検出することで監視領域内への人の侵入を検知するとともに当該侵入検知時に監視領域を撮像するセンサカメラＳＣと、住戸内に設置されてドアホン子器ＤＳとの間で通話する通話機能並びにドアホン子器ＤＳ並びにセンサカメラＳＣで撮像された画像を表示する機能を有するインターホン親機ＩＭと、インターホン親機ＩＭよりドアホン子器ＤＳやセンサカメラＳＣで撮像された画像を受け取るとともに受け取った当該画像をセンタ装置ＳＶおよび表示装置ＣＶに伝送し、さらにはドアホン子器ＤＳと表示装置ＣＶとの間の通話音声の授受を中継するコントローラ（以下、転送コントローラと呼ぶ。）Ｃ３とで構成されるインターホンシステムである。
【００４６】
ドアホン子器ＤＳは、通話用のマイクロホン並びにスピーカや来訪者を撮像するためのカメラを具備し、マイクロホンで集音した通話音声をインターホン親機ＩＭおよび表示装置ＣＶに通話線を介して伝送し且つインターホン親機ＩＭおよび表示装置ＣＶから通話線を介して伝送される通話音声をスピーカから鳴動させる通話機能と、呼出釦が押操作されたときに通話線を介してインターホン親機ＩＭおよび表示装置ＣＶに呼出信号を送信する呼出機能と、カメラ（例えば、動画像を出力するＣＣＤカメラ）で撮像された画像を周波数変調して通話音声に多重化することで通話線を介してインターホン親機ＩＭおよび表示装置ＣＶに伝送する画像伝送機能とを有している。また、センサカメラＳＣは、人体から放射される熱線を検出することで監視領域内への人の侵入を検知する熱線センサや動画像を出力するＣＣＤカメラ等を具備し、信号線を介して監視領域の画像をドアホン子器ＤＳに伝送する機能を有している。尚、ドアホン子器ＤＳに伝送された画像は通話線を介してインターホン親機ＩＭおよび表示装置ＣＶに転送される。
【００４７】
一方、インターホン親機ＩＭは、全体の制御を行うマイコンや音声処理用のＤＳＰ、通話用のマイクロホン並びにスピーカや画像表示用の液晶ディスプレイ、画像や通話音声を記録する不揮発性の半導体メモリ等を具備し、呼出信号を受信したときにスピーカから呼出音を鳴動する機能と、呼出音の鳴動中又は鳴動後の一定時間内に応答釦が押操作されたときにドアホン子器ＤＳとの間に通話線を介した通話路を形成して通話音声を授受する通話機能と、通話中にドアホン子器ＤＳで撮像され且つ伝送される画像（通話相手を撮像した画像）を周波数復調して液晶ディスプレイに表示する機能と、通話中以外でドアホン子器ＤＳ又はセンサカメラＳＣで撮像され且つドアホン子器ＤＳから伝送される画像を周波数復調して液晶ディスプレイに表示する機能（画像モニタ機能）と、留守録設定中に呼出信号を受信した場合に通話線を介してドアホン子器ＤＳから伝送される画像並びに通話音声を不揮発性の半導体メモリに記録する機能（留守録機能）と、センサカメラＳＣで撮像され且つドアホン子器ＤＳより通話線を介して伝送された画像を不揮発性の半導体メモリに記録する機能（センサカメラ録画機能）と、ドアホン子器ＤＳで特定の操作（例えば、呼出釦の長押し）が行われた場合に通常の呼出音と区別可能な通知音で家人の帰宅を通知する機能（帰宅通知機能）とを有している。
【００４８】
また、表示装置ＣＶの通話部５５も、インターホン親機ＩＭと同様に、呼出信号を受信したときにスピーカから呼出音を鳴動する機能や、ドアホン子器ＤＳとの間に通話線を介した通話路を形成して通話音声を授受する通話機能や、ドアホン子器ＤＳで撮像されて伝送された画像を周波数復調して表示部５２に表示する機能等を有しており、表示装置ＣＶとドアホン子器ＤＳとの間の各情報の授受は、転送コントローラＣ３およびインターホン親機ＩＭを介して行われる。
【００４９】
而して、来訪者がドアホン子器ＤＳの呼出釦を押操作すると、常時有効である呼出機能によってインターホン親機ＩＭおよび表示装置ＣＶに通話線を介して呼出信号が伝送され、インターホン親機ＩＭおよび表示装置ＣＶにおいてスピーカから呼出音が鳴動されるとともに、通話線を介してインターホン親機ＩＭから電源が供給されることでドアホン子器ＤＳの画像伝送機能が有効になり、ドアホン子器ＤＳのカメラで撮像された画像がインターホン親機ＩＭの液晶ディスプレイおよび表示装置ＣＶの表示部５２に表示される。そして、表示された画像で来訪者を確認した家人がインターホン親機ＩＭまたは表示装置ＣＶを操作すれば、通話機能によりドアホン子器ＤＳまたは表示装置ＣＶとの間に通話線を介した通話路が形成されてインターホン親機ＩＭまたは表示装置ＣＶとドアホン子器ＤＳとの間においてスピーカとマイクロホンを使った拡声通話（ハンズフリー通話）が可能になるとともに、通話中においてはインターホン親機ＩＭまたは表示装置ＣＶにドアホン子器ＤＳから伝送される画像を表示させることが可能になる。但し、インターホン親機ＩＭまたは表示装置ＣＶとドアホン子器ＤＳとの間の拡声通話並びに画像伝送は、通話路が形成されてから所定時間が経過するか若しくは通話終了操作されたときに終了する。また、監視領域における不審者の侵入を検知するとセンサカメラＳＣが撮像した監視領域の画像がドアホン子器ＤＳ経由でインターホン親機ＩＭおよび表示装置ＣＶに伝送されて表示される。但し、上述のような機能を有するインターホン親機ＩＭ、ドアホン子器ＤＳ、センサカメラＳＣについては、従来周知であるから詳細な構成についての図示並びに説明を省略する。
【００５０】
転送コントローラＣ３は、図６に示すようにマイコンを主構成要素とする制御部４０と、宅内ネットワークのＬＡＮケーブルが接続され制御部４０と宅内ネットワークのインタフェースを行うＬＡＮ用の通信部４１と、インターホン親機ＩＭとの間で信号線を介したデータ通信を行う通信部４２と、ＬＥＤ等の発光素子で電源のオン／オフ状態や通信状態等を表示する表示手段と押釦スイッチ等を有する表示／操作部４４と、マイコンで実行するプログラムやインターホン親機ＩＭから信号線を通じて伝送されるデータ（画像データ及び通話音声データ）を記憶する記憶部４３とを備えている。
【００５１】
また、図示は省略しているが、商用電源から所望の直流電源を作成して制御部４０やその他の各部に動作電源を供給するための電源回路も備えている。
【００５２】
制御部４０は、ドアホン子器ＤＳ並びにセンサカメラＳＣからインターホン親機ＩＭに伝送された画像データ及び通話音声データをインターホン親機ＩＭから通信部４２を介して受け取るとともに受け取ったデータを所定の圧縮方式（例えば、動画像であればＭＰＥＧ４、静止画像であればＪＰＥＧ、音声であればＭＰ３など）で圧縮した後に応答メッセージとして宅内ネットワーク及び外部ネットワークを通じて、表示装置ＣＶやセンタ装置ＳＶに転送したり、逆に表示装置ＣＶからの通話音声データをドアホン子器ＤＳへ転送する機能（転送機能）を有しており、表示装置ＣＶは、この転送コントローラＣ３の転送機能によって、ドアホン子器ＤＳとの間で通話を行ったり、ドアホン子器ＤＳ並びにセンサカメラＳＣからの画像データを取得している。
【００５３】
さらに制御部４０は、インターホン親機ＩＭの留守録機能が有効であるときにインターホン親機ＩＭが画像及び通話音声を記録した旨を宅内ネットワーク並びに外部ネットワークを通じてセンタ装置ＳＶに通知する機能（来客通知機能）と、帰宅通知機能によってインターホン親機ＩＭに家人の帰宅が通知されたときに宅内ネットワーク並びに外部ネットワークを通じてセンタ装置ＳＶに帰宅通知の応答メッセージを転送する機能（帰宅通知転送機能）とを有する。また、制御部４０は、記憶部４３に記録している画像の一覧等を開示する多数のＷｅｂコンテンツ（Ｗｅｂページ群）を保持しており、端末装置からＷｅｂコンテンツのＵＲＬに対するアクセスに応じてＷｅｂコンテンツ群の中から対応するＷｅｂコンテンツのデータを通信部４１より端末装置に提供（配信）するＷｅｂサーバ機能を有している。
【００５４】
また本システムでは、自ら撮像した画像を宅内ネットワーク経由で配信する機能（Ｗｅｂサーバ機能）を有した、いわゆるＷｅｂカメラＷＣがＬＡＮケーブルを介して統合管理装置ＴＭの通信ポートに接続されている（図３参照）。
【００５５】
ところで統合管理装置ＴＭにもＷｅｂサーバ機能が搭載されており、各コントローラＣｎがＷｅｂサーバ機能によって提供するＷｅｂコンテンツ（各サブシステムＳＳｎのホームページ）への入り口となるＷｅｂコンテンツ（いわゆるポータルサイト）を作成し、宅内ネットワークを通じて住宅内の端末装置（パーソナルコンピュータＰＣや表示装置ＣＶ）に提供（配信）している。例えば、表示装置ＣＶの表示部５２には、通常、統合管理装置ＴＭで作成された前記ポータルサイトが表示されている。このポータルサイトでは、各コントローラＣｎで提供されるＷｅｂコンテンツ（各サブシステムＳＳｎのホームページ）へのリンクがアイコンで表示されており、何れかのアイコン上でタッチパネルが操作されれば、当該アイコンで表示されたリンク先のＵＲＬ（各コントローラＣｎが保有するＷｅｂコンテンツ群のＩＰアドレス）に対して表示装置ＣＶからＷｅｂコンテンツの送信要求メッセージが送信される。そして、送信要求メッセージを受信したコントローラＣｎが自己の保有するＷｅｂコンテンツ群の中から指定されたＷｅｂコンテンツを表示装置ＣＶに対して送信すれば、前記ポータルサイトに代わって当該コントローラＣｎのＷｅｂコンテンツ（例えば、各サブシステムＳＳｎのホームページ）が表示部５２に表示される。
【００５６】
さらに、統合管理装置ＴＭのＷｅｂサーバ機能は、各コントローラＣｎから送信された情報に基づいて、サブシステムＳＳ１〜ＳＳ３の全情報から特定の情報のみ抽出したＷｅｂコンテンツを生成しており、前記ポータルサイトからは、各コントローラＣｎで提供されるＷｅｂコンテンツへのリンクだけでなく、サブシステムＳＳ１〜ＳＳ３の全情報から特定の情報のみ抽出したＷｅｂコンテンツへのリンクもアイコンで表示されている。
【００５７】
次に、表示装置ＣＶが、ポータルサイトを表示している初期状態からリンク先のＷｅｂコンテンツを表示部５２に表示し、さらに表示部５２に表示しているＷｅｂコンテンツからリンク先のＷｅｂコンテンツに次々に画面遷移した後、制御部５０のＷｅｂブラウザが表示部５２の画面を前の画面に戻す、ヒストリーバック処理について説明する。
【００５８】
まず、図７（ａ）に示すように、表示装置ＣＶの制御部５０は、表示部５２にポータルサイト（以降、トップ画面Ｇ１と称す）を表示している。このトップ画面Ｇ１には、リンク先のＵＲＬが関連付けられた複数のメニューアイコンＡ１１が配置されており、操作部５３によって各メニューアイコンＡ１１を押操作されることで、関連付けられたＵＲＬを有するＷｅｂコンテンツに画面遷移する。
【００５９】
ここで、操作部５３によってあるメニューアイコンＡ１１を押操作されると、システムの制御内容を選択するための図７（ｂ）に示すＷｅｂコンテンツ（以降、制御画面Ｇ２と称す）に画面遷移する。制御画面Ｇ２は、複数の制御アイコンＡ２１，Ａ２２，Ａ２３が配置されており、操作部５３によって制御アイコンＡ２１，Ａ２２，Ａ２３が押操作されることで、システム内の各設備機器、端末装置の制御・監視が行われる。例えば、制御アイコンＡ２１が押操作されると、ＷｅｂカメラＷＣの撮像データのモニタ開始・停止が切り替わり、制御アイコンＡ２２が押操作されると、ドアホン子器ＤＳの撮像データのモニタ開始・停止が切り替わり、制御アイコンＡ２３が押操作されると、センサカメラＳＣの撮像データのモニタ開始・停止が切り替わる。
【００６０】
そして、この制御画面Ｇ２を表示部５２に表示して、ユーザがどのカメラからのモニタを選択するかを考えている状態で、来客によってドアホン子器ＤＳの呼出釦が押操作されると、ドアホン子器ＤＳに内蔵のカメラで撮像された画像が表示される図７（ｃ）のＷｅｂコンテンツ（以降、呼び出し画面Ｇ３と称す）に画面遷移して、表示装置ＣＶの表示部５２には呼び出し画面Ｇ３が割り込み表示される。呼び出し画面Ｇ３には、通話開始アイコンＡ３１と、戻る操作アイコンＡ３２と、ドアホン子器からの画像データを表示する画像表示部Ｂ１とが配置されている。操作部５３によって通話開始アイコンＡ３１が押操作されると、ドアホン子器ＤＳとの間に通話路を形成して通話音声を授受する通話機能を起動させる。操作部５３によって戻る操作アイコンＡ３２が押操作されると、前の画面に戻るヒストリーバック処理が行われる。
【００６１】
そして、呼び出し画面Ｇ３において通話開始アイコンＡ３１が押操作されると、ドアホン子器ＤＳとの間に通話路を形成して通話音声を授受する通話機能が起動するとともに、図７（ｄ）に示す通話中のＷｅｂコンテンツ（以降、通話中画面Ｇ４と称す）に画面遷移して、表示装置ＣＶの表示部５２には通話中画面Ｇ４が表示される。通話中画面Ｇ４には、通話終了アイコンＡ４１と、戻る操作アイコンＡ４２と、ドアホン子器からの画像データを表示する画像表示部Ｂ２とが配置されている。操作部５３によって通話終了アイコンＡ４１が押操作されると、ドアホン子器ＤＳとの間の通話路を切断してトップ画面Ｇ１に画面遷移する。操作部５３によって戻る操作アイコンＡ４２が押操作されると、前の画面に戻るヒストリーバック処理が行われる。
【００６２】
そして、上記のように次々と画面遷移を行う表示装置ＣＶの制御部５０は、図８（ａ）に示すように、画面遷移操作によって表示部５２に新しい画面を表示させる処理を開始すると（Ｓ１）、履歴記憶部５６に遷移前の画面のＵＲＬ（Uniform Resource Locator）を履歴情報（以降、ＵＲＬ履歴情報と称す）として格納し（Ｓ２）、処理を終了する（Ｓ３）。すなわち、履歴記憶部５６には、現在表示している画面の１つ前の画面のＵＲＬ履歴情報のみが格納されており、画面遷移の度に履歴記憶部５６の内容は更新される。
【００６３】
ここで、コントローラＣ１，Ｃ１’，Ｃ２，Ｃ３、統合管理装置ＴＭ、ＷｅｂカメラＷＣから提供されるＷｅｂコンテンツや、表示装置ＣＶのデータ記憶部５４に格納されているＷｅｂコンテンツの各ＵＲＬには、Ｗｅｂコンテンツの内容、種別に応じて、バックヒストリー識別子が予め設定されている。バックヒストリー識別子とは、あるＷｅｂコンテンツで戻る操作アイコンが押操作された際に、バックヒストリー識別子を設定されたＵＲＬを有するＷｅｂコンテンツへの画面遷移を禁止するものである。本実施形態では、呼び出し画面Ｇ３、通話中画面Ｇ４の各ＵＲＬにバックヒストリー識別子が予め設定されており、バックヒストリー識別子は、図９に示すように、呼び出し画面Ｇ３、通話中画面Ｇ４の各ＵＲＬに挿入された「Ｎｏ  Ｒｅｔｕｒｎ」の文字列で示される。なお、トップ画面Ｇ１、制御画面Ｇ２の各ＵＲＬには「Ｎｏ  Ｒｅｔｕｒｎ」の文字列は挿入されておらず、バックヒストリー識別子が設定されていない。すなわち、基本的には、割り込み画面にバックヒストリー識別子が設定されているが、それ以外でも、実際の運用を考慮してバックヒストリー識別子が設定される。
【００６４】
そして、図８（ｂ）は本実施形態のヒストリーバック処理のフローを示しており、例えば表示装置ＣＶの表示部５２に通話中画面Ｇ４を表示した状態で、戻る操作アイコンＡ４２が押操作されると（Ｓ１１）、制御部５０は、履歴記憶部５６に基づいて、通話中画面Ｇ４の１つ前に表示された呼び出し画面Ｇ３のＵＲＬ履歴情報を参照し、画面遷移を許可されたＷｅｂコンテンツであるか否かを判別する（Ｓ１２）。すると、呼び出し画面Ｇ３のＵＲＬには、「Ｎｏ  Ｒｅｔｕｒｎ」の文字列が挿入されており、バックヒストリー識別子が設定されていることから、通話中画面Ｇ４から呼び出し画面Ｇ３への戻る操作による画面遷移は禁止されている。制御部５０は、現在表示している画面の１つ前に表示された画面のＵＲＬ履歴情報にバックヒストリー識別子が設定されている場合には、トップ画面Ｇ１に画面遷移するように予め設定されており（Ｓ１４）、トップ画面Ｇ１に画面遷移した後に処理を終了する（Ｓ１５）。一方、通話中画面Ｇ４の１つ前に表示された画面のＵＲＬに、「Ｎｏ  Ｒｅｔｕｒｎ」の文字列が挿入されていなければ、バックヒストリー識別子が設定されていないことから、通話中画面Ｇ４から当該１つ前の画面への戻る操作による画面遷移は許可されており、制御部５０は、１つ前の画面に画面遷移し（Ｓ１３）、処理を終了する（Ｓ１５）。
【００６５】
すなわち、通話中画面Ｇ４で戻る操作を行った場合には、割り込み画面である呼び出し画面Ｇ３に画面遷移することなく、トップ画面Ｇ１に画面遷移する。したがって、ユーザにとっては、通話中画面Ｇ４でドアホン子器ＤＳとの通話が終わった後に、見る必要のない呼び出し画面Ｇ３に戻ることはなく、戻る操作でトップ画面Ｇ１に戻ってメニューアイコンＡ１１の操作を行うことができるので、簡易な処理フローで所望の画面に戻ることができ、ユーザにとって違和感のない操作となって使い勝手がよいものとなる。
【００６６】
（実施形態２）
実施形態１の表示装置ＣＶでは、Ｗｅｂコンテンツの表示中に戻る操作が行われると、制御部５０が、履歴記憶部５６に基づいて、現在表示している画面の１つ前に表示された画面のＵＲＬ履歴情報を参照して、バックヒストリー識別子の有無から、１つ前に表示された画面への画面遷移の可否を判別している。
【００６７】
しかし、本実施形態の表示装置ＣＶの履歴記憶部５６は複数のバッファ領域を備えており、現在表示している画面より前に表示した画面のうち、最新の複数の画面のＵＲＬ履歴情報を格納している。格納されたＵＲＬ履歴情報は、その表示順に格納されており、必要であれば表示日時も併せて格納される。
【００６８】
そして、あるＷｅｂコンテンツで戻る操作が行われると、制御部５０が、履歴記憶部５６に基づいて、現在表示している画面の前に表示された複数の画面のＵＲＬ履歴情報を参照して、バックヒストリー識別子の有無から、ＵＲＬ履歴情報に対応する各画面への画面遷移の可否を判別する。そして、バックヒストリー識別子が設定されていないＵＲＬ履歴情報が２つ以上あった場合、制御部５０は、そのうち最新のＵＲＬ履歴情報を採用し、当該ＵＲＬを有するＷｅｂコンテンツに画面遷移する。
【００６９】
例えば、図１０に示すように、表示装置ＣＶの表示部５２に、画面Ｇ１１  →  画面Ｇ１２  →  画面Ｇ１３  →  画面Ｇ１４  →  画面Ｇ１５  →  画面Ｇ１６  の順で表示し、履歴記憶部５６には、画面Ｇ１１〜Ｇ１５の５つのＵＲＬ履歴情報が格納されているとする。そして、表示装置ＣＶの表示部５２に画面Ｇ１６を表示した状態で、戻る操作アイコンＡ１６が押操作されると、制御部５０は、履歴記憶部５６に格納されている画面Ｇ１１〜Ｇ１５の５つのＵＲＬ履歴情報を参照する。ここで、画面Ｇ１２，Ｇ１４，Ｇ１５の各ＵＲＬには「Ｎｏ  Ｒｅｔｕｒｎ」が挿入されており、戻る操作による画面Ｇ１２，Ｇ１４，Ｇ１５への画面遷移は禁止されている。したがって、制御部５０は、戻る操作による画面遷移が許可されている画面Ｇ１１，Ｇ１３のうち、最新の画面Ｇ１３に画面遷移させる。
【００７０】
このように、戻る操作時に、できるだけ現在表示している画面に近い画面に画面遷移させることができるので、使い勝手がさらに向上する。
【００７１】
なお、本実施形態の構成を、実施形態１の図７（ａ）〜（ｄ）に適用すると、表示装置ＣＶの表示部５２に通話中画面Ｇ４を表示した状態で、戻る操作アイコンＡ４２が押操作されると、制御部５０は、履歴記憶部５６に基づいて、通話中画面Ｇ４より前に表示された画面Ｇ１〜Ｇ３の各ＵＲＬ履歴情報を参照し、画面遷移を許可されたＷｅｂコンテンツがあるか否かを判別する。すると、呼び出し画面Ｇ３のＵＲＬには、「Ｎｏ  Ｒｅｔｕｒｎ」の文字列が挿入されており、通話中画面Ｇ４から呼び出し画面Ｇ３への戻る操作による画面遷移は禁止されている。しかし、トップ画面Ｇ１、制御画面Ｇ２の各ＵＲＬには、「Ｎｏ  Ｒｅｔｕｒｎ」の文字列が挿入されておらず、通話中画面Ｇ４からトップ画面Ｇ１、制御画面Ｇ２への戻る操作による画面遷移は許可されている。
【００７２】
したがって、制御部５０は、戻る操作による画面遷移が許可されているトップ画面Ｇ１、制御画面Ｇ２のうち、最新の画面である制御画面Ｇ２に画面遷移させる。
【００７３】
（実施形態３）
本実施形態の表示装置ＣＶの履歴記憶部５６は、実施形態２と同様に複数のバッファ領域を備えて、現在表示している画面より前に表示した画面のうち、最新の複数の画面のＵＲＬ履歴情報を格納し、さらに各ＵＲＬ履歴情報に有効期限情報を含めている。有効期限情報は、ＨＴＭＬで作成されており、各ＵＲＬ履歴情報の有効期限を示しており、図１１に示す有効期限設定部５７によって自動設定される（または、ユーザが画面毎に有効期限情報を手動設定する構成であってもよい）。この有効期限は、各画面の表示を開始した時点から所定時間後の時刻、または各画面の表示を終了した時点から所定時間後の時刻に設定される。
【００７４】
また、有効期限情報の自動設定方法としては、全画面に対して同一の有効期限に設定する方法や、画面の種類（トップ画面、制御画面、呼び出し画面，通話中画面等）毎に異なる有効期限に設定する方法がある。さらに画面の操作アイコンの数によって異なる有効期限に設定してもよい。これは、操作するアイコンの数が多い画面では、操作時間がかかっていることが考えられるので、そのような画面では有効期限を長く設定しておく（この場合の有効期限は、当該画面の表示を開始した時点から所定時間後の時刻に設定されるものとする。）
例えば、図１２に示すように、制御画面Ｇ２の有効期限情報Ｊ２には、”Tue,20,Aug1996 14:25.27 GMT”という有効時刻が設定されており、呼び出し画面Ｇ３，通話中画面Ｇ４の各有効期限情報Ｊ３，Ｊ４は未設定とする。
【００７５】
そして、図１３は本実施形態のヒストリーバック処理のフローを示しており、例えば表示装置ＣＶの表示部５２に通話中画面Ｇ４を表示した状態で、戻る操作アイコンＡ４２が押操作されると（Ｓ２１）、制御部５０は、履歴記憶部５６に基づいて、通話中画面Ｇ４より前に表示された制御画面Ｇ２、呼び出し画面Ｇ３の各ＵＲＬ履歴情報を参照し、画面遷移を許可されたＷｅｂコンテンツであるか否かを判別する（Ｓ２２）。本実施形態では、呼び出し画面Ｇ３のＵＲＬには、「Ｎｏ  Ｒｅｔｕｒｎ」の文字列が挿入されており、通話中画面Ｇ４から呼び出し画面Ｇ３への戻る操作による画面遷移は禁止されている。しかし、制御画面Ｇ２のＵＲＬには、「Ｎｏ  Ｒｅｔｕｒｎ」の文字列が挿入されておらず、通話中画面Ｇ４から制御画面Ｇ２への戻る操作による画面遷移は許可されている。
【００７６】
そして、制御部５０は現在時刻を計時するタイマ（計時手段）を内蔵しており、制御画面Ｇ２の有効期限情報Ｊ２内の有効時刻と現在時刻とを比較して（Ｓ２３）、現在時刻が有効時刻を経過していなければ、制御画面Ｇ２に画面遷移させて（Ｓ２４）、処理を終了する（Ｓ２７）。現在時刻が有効時刻を経過しておれば、トップ画面Ｇ１（図７（ａ）参照）に画面遷移させて（Ｓ２５）、処理を終了する（Ｓ２７）。なお、ＵＲＬに「Ｎｏ  Ｒｅｔｕｒｎ」の文字列が挿入されておらず、且つ現在時刻が有効時刻を経過していないＵＲＬ履歴情報が複数ある場合には、その中で最新のＵＲＬ履歴情報のＷｅｂコンテンツに画面遷移する。
【００７７】
Ｓ２２において、履歴記憶部５６に基づいて、通話中画面Ｇ４より前に表示された複数の画面の各ＵＲＬ履歴情報を参照し、画面遷移を許可されたＷｅｂコンテンツがなければ、トップ画面Ｇ１（図７（ａ）参照）に画面遷移させて（Ｓ２５）、処理を終了する（Ｓ２７）。
【００７８】
したがって、表示してから長い時間が経過した画面のＵＲＬ履歴情報は無効として、戻る操作時には表示しないので、ユーザに混乱を招くことがない。
【００７９】
（実施形態４）
実施形態１乃至３では、戻る操作が行われた場合、表示装置ＣＶの制御部５０が、ＵＲＬ履歴情報に基づき、各ＵＲＬ情報の識別子を参照して、画面遷移先を自動で選択していたが、本実施形態の表示装置ＣＶは、ユーザが戻る操作時の画面遷移先を選択する点が異なる。
【００８０】
あるＷｅｂコンテンツで戻る操作が行われると、制御部５０が、履歴記憶部５６に基づいて、現在表示している画面の前に表示された複数の画面のＵＲＬ履歴情報を参照して、バックヒストリー識別子の有無から、ＵＲＬ履歴情報の各画面への画面遷移の可否を判別する。そして、バックヒストリー識別子が設定されていないＵＲＬ履歴情報があった場合、当該Ｗｅｂコンテンツは画面遷移を許可されていると判別し、制御部５０は、これらの画面遷移を許可されているＷｅｂコンテンツを、表示部５２の１つの画面上に全て表示する。画面遷移を許可されたＷｅｂコンテンツが１つの場合は、表示部５２にこの1つのＷｅｂコンテンツのみを表示するが、画面遷移を許可されたＷｅｂコンテンツが複数の場合は、表示部５２の１つの画面をフレーム分割し、分割した各フレーム領域内に各Ｗｅｂコンテンツを配置して表示する。
【００８１】
例えば、図１４に示すように、表示装置ＣＶの表示部５２に、トップ画面Ｇ２１  →  制御画面Ｇ２２  →  制御画面Ｇ２３  →  制御画面Ｇ２４  の順で表示し、制御画面Ｇ２４を表示している状態で警報画面Ｇ２５が割り込み表示されたとする。このとき、履歴記憶部５６には、画面Ｇ２１〜Ｇ２５の５つのＵＲＬ履歴情報が格納されている。そして、表示装置ＣＶの表示部５２に警報画面Ｇ２５を表示した状態で、戻る操作アイコンＡ２５が押操作されると、制御部５０は、履歴記憶部５６に格納されている画面Ｇ２１〜Ｇ２５の５つのＵＲＬ履歴情報を参照する。ここで、警報画面Ｇ２５のＵＲＬには「Ｎｏ  Ｒｅｔｕｒｎ」が挿入されており、戻る操作による画面Ｇ２５への画面遷移は禁止されている。しかし、トップ画面Ｇ２１、制御画面Ｇ２２〜Ｇ２４の各ＵＲＬには「Ｎｏ  Ｒｅｔｕｒｎ」が挿入されておらず、戻る操作による画面Ｇ２１〜Ｇ２４への画面遷移は許可されている。
【００８２】
そこで、制御部５０は、表示部５２の１つの画面を４つにフレーム分割し、分割した各フレーム領域内に画面Ｇ２１〜Ｇ２４の縮小画面Ｇ２１’〜Ｇ２４’を各々配置した遷移先選択用画面Ｇ２６を生成して、表示部５２に表示する。そしてユーザが、操作部５３を操作して、縮小画面Ｇ２１’〜Ｇ２４’のうちいずれかを選択すると、制御部５０は、選択された縮小画面に対応する画面（Ｇ２１〜Ｇ２４のいずれか）を表示部５２に表示する。このように、戻り操作時の画面遷移先の候補として、実際のＷｅｂコンテンツの画面を１つの画面にフレーム分割して表示するので、ユーザにとって判り易くなり、ユーザビリティが向上する。
【００８３】
また、制御部５０は、画面Ｇ２１〜Ｇ２５が表示部５２に表示された後の経過時間を計時し、この計時時間が所定時間内である画面のみを遷移先選択用画面Ｇ２６に配置してもよい。この場合、ユーザが操作するために戻りたいであろう最近の画面のみを候補として表示するので、無駄な候補を表示することなく使い勝手が向上する。
【００８４】
なお、表示部５２に複数の画面を表示する方法としては、上記フレーム分割以外に、各画面を縮小してサムネイル表示してもよい。
【図面の簡単な説明】
【００８５】
【図１】実施形態１の表示装置のブロック図である。
【図２】同上の外観正面図である。
【図３】同上のシステム構成図である。
【図４】同上の設備機器コントローラのブロック図である。
【図５】同上のセキュリティコントローラのブロック図である。
【図６】同上の転送コントローラのブロック図である。
【図７】（ａ）〜（ｄ）同上の画面遷移を示す図である。
【図８】（ａ）（ｂ）同上のヒストリーバック処理のフローを示す図である。
【図９】同上のＷｅｂコンテンツの各ＵＲＬを示す図である。
【図１０】実施形態２の画面遷移を示す図である。
【図１１】実施形態３の表示装置のブロック図である。
【図１２】（ａ）〜（ｃ）同上の画面遷移を示す図である。
【図１３】同上のヒストリーバック処理のフローを示す図である。
【図１４】実施形態４の画面遷移を示す図である。
【図１５】従来の画面遷移を示す図である。
【符号の説明】
【００８６】
ＣＶ  表示装置
５０  制御部
５１  通信部
５２  表示部
５３  操作部
５４  データ記憶部
５５  通話部
５６  履歴記憶部５６
【図１】
2010097497.tif 000003
【図２】
2010097497.tif 000004
【図３】
2010097497.tif 000005
【図４】
2010097497.tif 000006
【図５】
2010097497.tif 000007
【図６】
2010097497.tif 000008
【図７】
2010097497.tif 000009
【図８】
2010097497.tif 000010
【図９】
2010097497.tif 000011
【図１０】
2010097497.tif 000012
【図１１】
2010097497.tif 000013
【図１２】
2010097497.tif 000014
【図１３】
2010097497.tif 000015
【図１４】
2010097497.tif 000016
【図１５】
2010097497.tif 000017